(57)【要約】【課題】ドライブレコーダーにて撮影した映像と車両に発生したイベントとを連携させることができるドライブレコーダー運用システムを提供する。【解決手段】車両に生じたイベントの情報を含むインデックス情報を送出するセンサーユニット３と、可搬型の記憶媒体２と、車両の周辺を時間的に連続して撮影した映像ファイルを生成して記憶媒体に保存するドライブレコーダー１と、センサーユニット３から送出されたインデックス情報に基づき、車両に生じたイベントと記憶媒体２に保存された映像ファイルとを連携させる連携装置２００と、を備える。【選択図】図１
2022003750.tif 000002
【特許請求の範囲】
【請求項１】
車両に生じたイベントの情報を含むインデックス情報を送出するセンサーユニットと、
可搬型の記憶媒体と、
前記車両の周辺を時間的に連続して撮影した映像ファイルを生成して前記記憶媒体に保存するドライブレコーダーと、
前記センサーユニットから送出されたインデックス情報に基づき、前記車両に生じたイベントと前記記憶媒体に保存された映像ファイルとを連携させる連携装置と、
を備える、
ドライブレコーダー運用システム。
【請求項２】
前記センサーユニットは、前記イベントとして前記車両が衝撃を受けたことを検出する加速度センサーを備え、
前記インデックス情報は、前記加速度センサーの検出値が所定値以上となったときの日時情報を含む、
請求項１に記載のドライブレコーダー運用システム。
【請求項３】
前記センサーユニットは、前記車両の位置情報を取得する位置情報取得部を備え、
前記インデックス情報は、前記イベントが発生したときの前記位置情報を含む、
請求項１又は２に記載のドライブレコーダー運用システム。
【請求項４】
前記連携装置は、
前記記憶媒体から映像ファイルを読み込み、前記センサーユニットから送出されたインデックス情報に基づき、前記イベントの発生日時を含む所定期間の動画データを切り出し、当該動画データにインデックス情報を付加したイベント動画情報を生成する、
請求項２又は３に記載のドライブレコーダー運用システム。
【請求項５】
前記連携装置は、
前記センサーユニットから送出されたインデックス情報を転送するサーバと、
前記記憶媒体から映像ファイルを読み込み、前記サーバから転送されたインデックス情報に基づき、前記イベントの発生日時を含む所定期間の動画データを切り出し、当該動画データにインデックス情報を付加したイベント動画情報を生成して、前記サーバに送出する端末装置と、
を備える、
請求項２又は３に記載のドライブレコーダー運用システム。
【請求項６】
前記連携装置は、
前記センサーユニットから送出されたインデックス情報を転送するサーバと、
前記記憶媒体から映像ファイルを読み込み、前記サーバから転送されたインデックス情報に基づき、前記イベントの発生日時を含む所定期間の動画データを切り出し、前記サーバに送出する端末装置と、
を備え、
前記サーバは、
前記サーバから送出された動画データにインデックス情報を付加したイベント動画情報を生成する、
請求項２又は３に記載のドライブレコーダー運用システム。
【発明の詳細な説明】
【技術分野】
【０００１】
本発明は、ドライブレコーダー運用システムに関する。
【背景技術】
【０００２】
車両に搭載されたドライブレコーダーは、車両の前方等の車両周辺を時間的に連続して撮影し、撮影した映像を記憶媒体に保存する。例えば、加速度センサー等のセンサーでセンシングしたデータを映像と共に運転状況を表すデータとして送信する機能を有するドライブレコーダーが知られている（例えば、特許文献１）。
【先行技術文献】
【特許文献】
【０００３】
【特許文献１】特開２０１８−０５５３５２号公報
【発明の概要】
【発明が解決しようとする課題】
【０００４】
通信機能を有していないスタンドアロン型のドライブレコーダーでは、撮影した映像に加速度センサー等で検出した衝撃等のイベントを同期して、例えばＳＤカード等の外部記憶媒体に記憶するものがある。これにより、例えば事故等により車両が衝撃を受けた日時の動画データを特定して切り出すことができる。しかしながら、加速度センサー等のセンサーを搭載していない場合、撮影した映像の動画データと衝撃を受けた日時等のイベント情報とを連携させることができない。このため、衝撃を受けた日時の動画データを特定して切り出す手段が必要である。
【０００５】
本開示は、ドライブレコーダーにて撮影した映像と車両に発生したイベントとを連携させることができるドライブレコーダー運用システムを提供することを目的とする。
【課題を解決するための手段】
【０００６】
本開示の一態様に係るドライブレコーダー運用システムは、車両に生じたイベントの情報を含むインデックス情報を送出するセンサーユニットと、可搬型の記憶媒体と、前記車両の周辺を時間的に連続して撮影した映像ファイルを生成して前記記憶媒体に保存するドライブレコーダーと、前記センサーユニットから送出されたインデックス情報に基づき、前記車両に生じたイベントと前記記憶媒体に保存された映像ファイルとを連携させる連携装置と、を備える。
【発明の効果】
【０００７】
本開示によれば、ドライブレコーダーにて撮影した映像と車両に発生したイベントとを連携させることができる。
【図面の簡単な説明】
【０００８】
【図１】図１は、本開示に係るドライブレコーダー運用システムを説明するための概念図である。
【図２】図２は、本開示に係るドライブレコーダーの構成の一例を示すブロック図である。
【図３】図３は、本開示に係るセンサーユニットの構成の一例を示すブロック図である。
【図４】図４は、インデックス情報生成部により生成されるインデックス情報の一例を示す図である。
【図５】図５は、本開示に係るサーバ及び端末装置の構成の一例を示すブロック図である。
【図６】図６は、本開示の第１実施形態に係るドライブレコーダー運用システムにおけるイベント動画情報生成処理の具体例を示すシーケンス図である。
【図７】図７は、本開示の第１実施形態に係るドライブレコーダー運用システムにおける識別情報照合処理の具体例を示すフローチャートである。
【図８】図８は、本開示の第２実施形態に係るドライブレコーダー運用システムにおけるイベント動画情報生成処理の具体例を示すシーケンス図である。
【発明を実施するための形態】
【０００９】
以下、添付図面を参照して、本開示に係る実施形態を詳細に説明する。なお、この実施形態により本開示が限定されるものではなく、また、実施形態が複数ある場合には、各実施形態を組み合わせて構成するものも含む。また、以下の実施形態において、同一の部位には同一の符号を付することにより重複する説明を省略する。
【００１０】
まず、本開示に係るドライブレコーダー運用システムの構成について説明する。図１は、本開示に係るドライブレコーダー運用システムの構成を説明するための概念図である。
【００１１】
図１に示すように、本開示に係るドライブレコーダー運用システム１００は、ドライブレコーダー１、記憶媒体２、センサーユニット３、及び連携装置２００を備える。連携装置２００は、サーバ４、及び端末装置５を備える。
【００１２】
ドライブレコーダー１は、車両９０に搭載される。ドライブレコーダー１は、車両９０の前方あるいは後方等の車両９０の周辺を時間的に連続して撮影し、映像を記録する。ドライブレコーダー１は、撮影した映像のデータを記憶媒体２に保存する。
【００１３】
記憶媒体２は、例えばＳＤカードやＵＳＢメモリ等の可搬型の記憶媒体である。記憶媒体３は、ドライブレコーダー１及び端末装置５に着脱可能とすることで、ドライブレコーダー１で撮影した映像のデータを端末装置５に移動することができる。記憶媒体２は、予めセンサーユニット３の識別情報が紐づけられている。識別情報は、センサーユニット３が他の車両に搭載されたドライブレコーダーと識別できるものであればよい。
【００１４】
図２は、本開示に係るドライブレコーダーの構成の一例を示すブロック図である。
【００１５】
ドライブレコーダー１は、映像処理部１１、インターフェース１３、計時部１４、制御部１６、及び記憶部１７等を備える。映像処理部１１、インターフェース１３、計時部１４、制御部１６、及び記憶部１７等は、データバス１ａによって相互に電気信号の送受ができるように接続されている。
【００１６】
撮像部１１ａは、例えばＣＣＤ等の撮像素子を有し、車両９０の前方等の車両９０周辺を撮影する。撮像部１１ａは、時間的に連続して映像を取得し、映像信号を映像処理部１１へ送出する。
【００１７】
映像処理部１１は、撮像部１１ａにおいて撮影された映像信号について、データ圧縮等の処理を行い、少なくとも撮影時においてリアルタイムに計時部１４で計時された日時情報を付加して映像ファイルを生成する。映像処理部１１により生成された映像ファイルは、インターフェース１３を介して、記憶媒体２に保存される。
【００１８】
制御部１６は、例えばＣＰＵ等によって構成される。制御部１６は、コンピュータプログラムに従ってドライブレコーダー１における各処理を実行する。
【００１９】
記憶部１７は、ＲＡＭ（Random  Access  Memory）、フラッシュメモリ、ハードディスク記憶装置等のデータ記憶装置によって構成される。記憶部１７は、制御部１６で実行するコンピュータプログラム等を記憶する。
【００２０】
図１に戻る。センサーユニット３は、ドライブレコーダー１と共に車両９０に搭載される。センサーユニット３は、車両９０に生じるイベントを検出し、少なくとも当該イベントが検出された日時のデータをサーバ４に送信する。
【００２１】
図３は、本開示に係るセンサーユニットの構成の一例を示すブロック図である。
【００２２】
センサーユニット３は、位置情報取得部３１、イベント検出部３２、インデックス情報生成部３３、計時部３４、通信部３５、制御部３６、及び記憶部３７等を備える。位置情報取得部３１、イベント検出部３２、インデックス情報生成部３３、計時部３４、通信部３５、制御部３６、及び記憶部３７等は、データバス３ａによって相互に電気信号の送受ができるように接続されている。
【００２３】
位置情報取得部３１は、例えばＧＰＳ衛星からのＧＰＳ信号を受信し、受信したＧＰＳ信号に基づき、センサーユニット３の位置情報、換言すれば、センサーユニット３が搭載された車両９０の位置情報を取得する。
【００２４】
イベント検出部３２は、センサーユニット３が搭載された車両９０に生じるイベントを検出する。具体的に、イベント検出部３２は、例えば加速度センサー等が例示される。この場合、イベント検出部３２は、センサーユニット３が搭載された車両９０に生じるイベントとして、例えば、加速度が所定値以上である場合に、車両９０が事故等により衝撃を受けたことを検出する。イベント検出部３２は、加速度センサーに限定されるものではなく、例えば速度センサー、車速センサー、生体センサー等であっても良い。また、これら複数のセンサーを備えた構成であっても良い。
【００２５】
インデックス情報生成部３３は、イベント検出部３２によりセンサーユニット３が搭載された車両９０に生じたイベントが検出されたとき、当該イベントが発生した日時、場所等を含むインデックス情報を生成する。
【００２６】
図４は、インデックス情報生成部により生成されるインデックス情報の一例を示す図である。図４に示す例において、インデックス情報は、イベントが発生した場所、日付、時刻を含む。イベントが発生した場所を示す位置情報は、例えば、緯度や経度を含む。イベントが発生した日付及び時刻を示す日時情報は、例えば、年、月、日、時、分、秒を含む。イベントが発生した場所を示す位置情報は、位置情報取得部３１により取得される。イベントが発生した日付及び時刻を示す日時情報は、計時部３４により取得される。なお、インデックス情報は、例えば、加速度センサー（イベント検出部３２）の検出値を含む態様であっても良い。
【００２７】
インデックス情報は、センサーユニット３の識別情報に紐づけられている。これにより、インデックス情報とセンサーユニット３とが一義的に特定される。
【００２８】
通信部３５は、通信ネットワーク９１を介して、インデックス情報生成部３３により生成されたインデックス情報をサーバ４に送信する。本開示において、通信部３５は、例えば、ＬＴＥ（Ｌｏｎｇ  Ｔｅｒｍ  Ｅｖｏｌｕｔｉｏｎ）網や３Ｇ（３ｒｄ  Ｇｅｎｅｒａｔｉｏｎ）網等の通信規格に準拠した通信を行う。
【００２９】
制御部３６は、例えばＣＰＵ等によって構成される。制御部３６は、コンピュータプログラムに従ってセンサーユニット３における各処理を実行する。
【００３０】
記憶部３７は、ＲＡＭ（Random  Access  Memory）、フラッシュメモリ、ハードディスク記憶装置等のデータ記憶装置によって構成される。記憶部３７は、制御部３６で実行するコンピュータプログラム等を記憶する。
【００３１】
図５は、本開示に係るサーバ及び端末装置の構成の一例を示すブロック図である。
【００３２】
サーバ４は、表示部４２、操作部４３、通信部４４、制御部４５、及び記憶部４６等を備える。表示部４２、操作部４３、通信部４４、制御部４５、及び記憶部４６等は、データバス４ａによって相互に電気信号の送受ができるように接続されている。
【００３３】
表示部４２は、液晶ディスプレイ、有機ＥＬ（Ｅｌｅｃｔｒｏ  Ｌｕｍｉｎｅｓｃｅｎｃｅ）ディスプレイ、ＬＥＤ（Ｌｉｇｈｔ  Ｅｍｉｔｔｉｎｇ  Ｄｉｏｄｅ）ディスプレイ等で構成されている。表示部４２は、制御部４５からの指示に基づいて操作に関する情報等を表示する。
【００３４】
操作部４３は、操作キー、十字キー、タッチパネル等のスイッチから構成されており、サーバ管理者による操作入力を受け付ける。操作部４３で受け付けられた操作入力は、制御部４３によって取得される。操作部４３は、操作入力の他、音声入力等の別手段による入力にも対応していてもよく、サーバ管理者からの指示を受け付けるものであり、サーバ管理者による操作入力は、サーバ管理者からの指示に相当する。
【００３５】
通信部４４は、無線または有線によって通信ネットワーク９１に通信接続されている。通信部４４は、通信ネットワーク９１を介して、センサーユニット３、端末装置５、及びコールセンター６との間で通信する。
【００３６】
制御部４５は、例えばＣＰＵ等によって構成される。制御部４５は、コンピュータプログラムに従ってサーバ４における各処理を実行する。
【００３７】
記憶部４６は、ＲＡＭ（Random  Access  Memory）、フラッシュメモリ、ハードディスク記憶装置等のデータ記憶装置によって構成される。記憶部４６は、制御部４５で実行するコンピュータプログラム等を記憶する。
【００３８】
端末装置５は、表示部５２、操作部５３、通信部５４、制御部５５、記憶部５６、及びインターフェース５７等を備える。端末装置５は、例えばＰＣ（パーソナルコンピュータ）やスマートホン等の情報処理端末である。データ処理部５１、表示部５２、操作部５３、通信部５４、制御部５５、記憶部５６、及びインターフェース５７等は、データバス５ａによって相互に電気信号の送受ができるように接続されている。
【００３９】
表示部５２は、液晶ディスプレイ、有機ＥＬ（Ｅｌｅｃｔｒｏ  Ｌｕｍｉｎｅｓｃｅｎｃｅ）ディスプレイ、ＬＥＤ（Ｌｉｇｈｔ  Ｅｍｉｔｔｉｎｇ  Ｄｉｏｄｅ）ディスプレイ等で構成されている。表示部５２は、制御部５５からの指示に基づいて操作に関する情報等を表示する。
【００４０】
操作部５３は、操作キー、十字キー、タッチパネル等のスイッチから構成されており、ユーザーによる操作入力を受け付ける。操作部５３で受け付けられた操作入力は、制御部５５によって取得される。操作部５３は、操作入力の他、音声入力等の別手段による入力にも対応していてもよく、ユーザーからの指示を受け付けるものであり、ユーザーによる操作入力は、ユーザーからの指示に相当する。
【００４１】
通信部５４は、無線または有線によって通信ネットワーク９１に通信接続されている。通信部５４は、通信ネットワーク９１を介して、サーバ４との間で通信する。
【００４２】
制御部５５は、例えばＣＰＵ等によって構成される。制御部５５は、コンピュータプログラムに従って端末装置５における各処理を実行する。
【００４３】
記憶部５６は、ＲＡＭ（Random  Access  Memory）、フラッシュメモリ、ハードディスク記憶装置等のデータ記憶装置によって構成される。記憶部５６は、制御部５５で実行するコンピュータプログラム等を記憶する。
【００４４】
記憶媒体２に保存された映像ファイルは、インターフェース５７を介して読み込まれる。
【００４５】
［第１実施形態］
本開示の第１実施形態において、サーバ４の記憶部４６には、センサーユニット３から送出されたインデックス情報を、端末装置５に転送するための第１プログラムが格納されている。サーバ４の制御部４５は、当該第１プログラムに従い、センサーユニット３から送出されたインデックス情報を、通信部４４から通信ネットワーク９１を介して端末装置５に転送する。
【００４６】
本開示の第１実施形態において、端末装置５の記憶部５６には、インデックス情報に基づき、記憶媒体２に保存された映像ファイルから、車両９０に生じたイベントがセンサーユニット３によって検出されたときの映像を動画データとして切り出し、切り出した動画データにインデックス情報を付加したイベント動画情報を生成して、サーバ４に送出するための第２プログラムが格納されている。端末装置５の制御部５５は、当該第２プログラムに従い、インデックス情報に基づき、記憶媒体２に保存された映像ファイルから、車両９０に生じたイベントがセンサーユニット３によって検出されたときの映像を動画データとして切り出し、切り出した動画データにインデックス情報を付加したイベント動画情報を生成して、通信部５４から通信ネットワーク９１を介してサーバ４に送出する。
【００４７】
これにより、ドライブレコーダー１にて撮影した映像と車両９０に発生したイベントとを連携させることができる。
【００４８】
また、本開示の第１実施形態において、サーバ４の記憶部４６には、端末装置５から送出されたイベント動画情報を、コールセンター６に転送するための第３プログラムが格納されている。サーバ４の制御部４５は、当該第３プログラムに従い、端末装置５から送出されたイベント動画情報を、通信部４４から通信ネットワーク９１を介してコールセンター６に転送する。
【００４９】
以下、図６を参照して、本開示の第１実施形態に係るドライブレコーダー運用システム１００における具体的なイベント動画情報生成処理について説明する。図６は、本開示の第１実施形態に係るドライブレコーダー運用システムにおけるイベント動画情報生成処理の具体例を示すシーケンス図である。図６に示すイベント動画情報生成処理において、各処理は、センサーユニット２、サーバ４、端末装置５の各構成部で行われるが、ここでは、各処理の主体をセンサーユニット２、サーバ４、端末装置５として説明する。
【００５０】
センサーユニット２は、車両９０に生じたイベント（例えば、車両９０が事故等により衝撃を受けたこと）を検出すると（ステップＳ１０１）、センサーユニット３の識別情報と、イベントが発生した場所、日付、時刻等の情報とが関連付けられたインデックス情報（図４参照）を生成する（ステップＳ１０２）。センサーユニット２は、生成したインデックス情報を、サーバ４に送信する（ステップＳ１０３）。
【００５１】
サーバ４は、センサーユニット２からインデックス情報を受信すると、受信したインデックス情報を、端末装置５に転送する（ステップＳ１０４）。
【００５２】
サーバ４から端末装置５に転送されるインデックス情報は、例えば、端末装置５の第２プログラムで認識可能な専用ファイルに格納され、ユーザーのメールアドレスに自動送信される態様であっても良い。
【００５３】
端末装置５が受信したインデックス情報は、端末装置５の記憶部５６に格納される（ステップＳ１０５）。
【００５４】
記憶媒体２は、上述したように、予めセンサーユニット３の識別情報が紐づけられている。また、インデックス情報は、センサーユニット３において生成される際に、センサーユニット３の識別情報が紐づけられている。この識別情報に基づき、記憶媒体２に記憶された映像ファイルとインデックス情報とが一義的に特定される。
【００５５】
端末装置５は、図７に示す識別情報照合処理を行う。図７は、本開示の第１実施形態に係るドライブレコーダー運用システムにおける識別情報照合処理の具体例を示すフローチャートである。図７に示す識別情報照合処理において、各処理の主体を端末装置５として説明する。
【００５６】
端末装置５は、インターフェース５７に接続された記憶媒体２と、サーバ４から受信したインデックス情報との間で、識別情報が一致しているか否かを照合する（ステップＳ１０６）。
【００５７】
識別情報が一致していない場合（ステップＳ１０６；Ｎｏ）、図６に示すステップＳ１０７の処理に移行せず、イベント動画情報生成処理を終了する。
【００５８】
識別情報が一致している場合（ステップＳ１０６；Ｙｅｓ）、図６に示すステップＳ１０７の処理に移行する。端末装置５は、記憶媒体２に保存された映像ファイルを読み込む（ステップＳ１０７）。
【００５９】
次に、端末装置５は、インデックス情報に基づき、読み出した映像ファイルから、車両９０に生じたイベントがセンサーユニット３によって検出されたときの映像を動画データとして切り出し（ステップＳ１０８）、切り出した動画データに記憶部５６に格納されたインデックス情報を付加してイベント動画情報を生成する（ステップＳ１０９）。
【００６０】
具体的には、例えば、ユーザーが端末装置５を起動し、操作部５３を操作して、インデックス情報が格納された専用ファイルを開くことにより、第２プログラムが立ち上がり、記憶媒体２に保存された映像ファイルを読み込み、動画編集を行う。端末装置５は、読み出した映像ファイルから、インデックス情報に含まれるイベント発生日時を含む所定期間（例えば、１５秒から３０秒）の動画データを切り出し、インデックス情報に含まれる日時情報、位置情報、加速度センサー（イベント検出部３２）の検出値等の情報を含むイベント動画情報を生成する。
【００６１】
これにより、ドライブレコーダー１にて撮影した映像と車両９０に発生したイベントとが連携したイベント動画情報が得られる。
【００６２】
そして、端末装置５は、生成したイベント動画情報をサーバ４に送信する（ステップＳ１１０）。
【００６３】
サーバ４は、端末装置５からイベント動画情報を受信すると、受信したイベント動画情報を、コールセンター６に転送する（ステップＳ１１１）。
【００６４】
［第２実施形態］
本開示の第２実施形態において、サーバ４の記憶部４６には、センサーユニット３から送出されたインデックス情報を、端末装置５に転送するための第１プログラムが格納されている。サーバ４の制御部４５は、当該第１プログラムに従い、センサーユニット３から送出されたインデックス情報を、通信部４４から通信ネットワーク９１を介して端末装置５に転送する。
【００６５】
本開示の第２実施形態において、端末装置５の記憶部５６には、インデックス情報に基づき、記憶媒体２に保存された映像ファイルから、車両９０に生じたイベントがセンサーユニット３によって検出されたときの映像を動画データとして切り出し、サーバ４に送出するための第２プログラムが格納されている。端末装置５の制御部５５は、当該第２プログラムに従い、インデックス情報に基づき、記憶媒体２に保存された映像ファイルから、車両９０に生じたイベントがセンサーユニット３によって検出されたときの映像を動画データとして切り出し、通信部５４から通信ネットワーク９１を介してサーバ４に送出する。
【００６６】
また、本開示の第２実施形態において、サーバ４の記憶部４６には、端末装置５から送出された動画データにインデックス情報を付加したイベント動画情報を生成して、コールセンター６に送出するための第３プログラムが格納されている。サーバ４の制御部４５は、当該第３プログラムに従い、端末装置５から送出された動画データにインデックス情報を付加したイベント動画情報を生成して、通信部４４から通信ネットワーク９１を介してコールセンター６に送出する。
【００６７】
これにより、ドライブレコーダー１にて撮影した映像と車両９０に発生したイベントとを連携させることができる。
【００６８】
以下、図８を参照して、本開示の第２実施形態に係るドライブレコーダー運用システム１００における具体的なイベント動画情報生成処理について説明する。図８は、本開示の第２実施形態に係るドライブレコーダー運用システムにおけるイベント動画情報生成処理の具体例を示すシーケンス図である。図８に示すイベント動画情報生成処理において、各処理は、センサーユニット２、サーバ４、端末装置５の各構成部で行われるが、ここでは、各処理の主体をセンサーユニット２、サーバ４、端末装置５として説明する。
【００６９】
センサーユニット２は、車両９０に生じたイベント（例えば、車両９０が事故等により衝撃を受けたこと）を検出すると（ステップＳ２０１）、センサーユニット３の識別情報と、イベントが発生した場所、日付、時刻等の情報とが関連付けられたインデックス情報（図４参照）を生成する（ステップＳ２０２）。センサーユニット２は、生成したインデックス情報を、サーバ４に送信する（ステップＳ２０３）。
【００７０】
サーバ４が受信したインデックス情報は、サーバ４の記憶部４６に格納される（ステップＳ２０４）。サーバ４は、受信したインデックス情報を、端末装置５に転送する（ステップＳ２０５）。
【００７１】
サーバ４から端末装置５に転送されるインデックス情報は、例えば、端末装置５の第２プログラムで認識可能な専用ファイルに格納され、ユーザーのメールアドレスに自動送信される態様であっても良い。
【００７２】
端末装置５は、インターフェース５７に接続された記憶媒体２と、サーバ４から受信したインデックス情報との間で、識別情報が一致しているか否かを照合する（ステップＳ２０６）。この識別情報照合処理は、第１実施形態における識別情報照合処理（ステップＳ１０６）と同一であるので、ここでは説明を省略する。
【００７３】
識別情報が一致している場合、図８に示すステップＳ２０７の処理に移行する。端末装置５は、インターフェース５７を介して記憶媒体２に保存された映像ファイルを読み込む（ステップＳ２０７）。
【００７４】
次に、端末装置５は、インデックス情報に基づき、読み出した映像ファイルから、車両９０に生じたイベントがセンサーユニット３によって検出されたときの映像を動画データとして切り出し（ステップＳ２０８）、切り出した動画データをサーバ４に送信する（ステップＳ２０９）。
【００７５】
具体的には、例えば、ユーザーが端末装置５を起動し、操作部５３を操作して、インデックス情報が格納された専用ファイルを開くことにより、第２プログラムが立ち上がり、記憶媒体２に保存された映像ファイルを読み込み、動画編集を行う。端末装置５は、読み出した映像ファイルから、インデックス情報に含まれるイベント発生日時を含む所定期間（例えば、１５秒から３０秒）の動画データを切り出し、切り出した動画データをサーバ４に送信する。
【００７６】
サーバ４は、端末装置５から動画データを受信すると、受信した動画データに記憶部４６に格納されたインデックス情報（具体的には、例えば、動画データを切り出し、インデックス情報に含まれる日時情報、位置情報、加速度センサー（イベント検出部３２）の検出値等の情報）を付加してイベント動画情報を生成する（ステップＳ２１０）。
【００７７】
これにより、ドライブレコーダー１にて撮影した映像と車両９０に発生したイベントとが連携したイベント動画情報が得られる。
【００７８】
そして、サーバ４は、生成したイベント動画情報を、コールセンター６に送信する（ステップＳ２１１）。
【００７９】
なお、上述した第１実施形態及び第２実施形態では、連携装置２００がサーバ４及び端末装置５で構成される例を示したが、連携装置２００を１つの装置で構成することも可能である。この場合、連携装置２００は、記憶媒体２から映像ファイルを読み込み、センサーユニット３から送出されたインデックス情報に基づき、読み出した映像ファイルから、車両９０に生じたイベントがセンサーユニット３によって検出されたときの映像を動画データとして切り出し、切り出した動画データにインデックス情報を付加したイベント動画情報を生成して、コールセンター６に送信する態様とすれば良い。
【００８０】
以上、本開示の実施形態を説明したが、これら実施形態の内容により本発明が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換または変更を行うことができる。
【符号の説明】
【００８１】
１  ドライブレコーダー
２  記憶媒体
３  センサーユニット
４  サーバ
５  端末装置
６  コールセンター
１００  ドライブレコーダー運用システム
２００  連携装置
【図１】
2022003750.tif 000003
【図２】
2022003750.tif 000004
【図３】
2022003750.tif 000005
【図４】
2022003750.tif 000006
【図５】
2022003750.tif 000007
【図６】
2022003750.tif 000008
【図７】
2022003750.tif 000009
【図８】
2022003750.tif 000010